(57)【特許請求の範囲】
【請求項１】
平板状のベースプレート上に、環状のコアの外周が絶縁層となるコアカバーによって覆われるとともに、上記コアカバーの外周に巻線が巻回されたコイルアッセンブリが載置されてなるベース付きコイルにおいて、
上記コアカバーに、上記コアカバーの外周を周方向に複数の巻線区画に分割する２以上の第１の隔壁を形成し、上記ベースプレート上に、上記第１の隔壁の上記コイルアッセンブリにおける内周側端部間に介装される第２の隔壁を立設するとともに、上記第１の隔壁の上記内周側端部と上記第２の隔壁の対向端部との間に、互いに係合する係合部を形成し、かつ上記ベースプレートに、上記コイルアッセンブリの上記第１の隔壁が載置される部分および上記第２の隔壁が形成される中央部分を残して、上記コイルアッセンブリの上記巻線と対向する部分に開口部を形成し、当該開口部内に上記巻線を位置させたことを特徴とするベース付きコイル。
【発明の詳細な説明】
【技術分野】
【０００１】
本発明は、ベースプレート上にコイルアッセンブリが取り付けられてコモンモードチョークコイル等として用いられるベース付きコイルに関するものである。
【背景技術】
【０００２】
一般に、液晶テレビ等のデジタル電子機器類に用いられる差動伝送方式の電送ケーブルには、２本の信号線の伝送特性の相違に起因して発生するコモンモードのノイズ電流を除去するために、コモンモードチョークコイルが介装されている。
【０００３】
従来、この種のコモンモードチョークコイルとしては、コアを収納したコアカバーの周に巻線が巻回されてなるコイルアッセンブリがベースプレート上に位置決めされたベース付きコイルが用いられている。そして、当該ベース付きコイルにおいては、通常巻線の線径が大きく、所定の機械的強度を有することから、ベースプレートの四隅に穴を形成し、上記コイルアッセンブリから引き出した巻線の端部を、上記穴に挿通させて、そのまま基板へ実装する構造が多く採用されている。
【０００４】
この際に、上記巻線の端部を、ベースプレートの穴に挿通することにより、コイルアッセンブリの位置決めを行っている。
ところが、上記ベース付きコイルは、コイルアッセンブリを単にベースプレート上に当接させる構造であるために、巻線端部の引き出し方や、穴への挿通時の力加減等によって、コイルアッセンブリに傾きが生じたり、あるいは中心から位置ズレを生じたりし易く、このため当該位置出し作業に多くの手間を要するという問題点があった。
【０００５】
そこで、本出願人は、上記問題点を解消すべく、先に下記特許文献１において、ベースプレートに対するコイルアッセンブリの位置決めが容易なベース付きコイルを提案した。
図１１は、このベース付きコイルを示すもので、コイルアッセンブリ１のコアカバー２に張出し部３を形成し、これと直交する位置にリブ４を設けるとともに、ベースプレート５の上面に凸条部６を延設し、これと直交して突起部７を対に設けたものである。
【０００６】
上記構成からなるベース付きコイルによれば、張出し部３を凸条部６に合せて着座させるとともに、突起部７の台部７ａへリブ４を当接させ、かつ凸条部６へ張出し部３を当接させて、張出し部３へ設けた孔部３ａに、凸条部６へ設けた突起６ａを嵌合させることにより、容易かつ確実に、コイルアッセンブリ１をベースプレート５に位置決めすることができるという利点がある。
【先行技術文献】
【特許文献】
【０００７】
【特許文献１】特開平６−２６７７４４号公報
【発明の概要】
【発明が解決しようとする課題】
【０００８】
ところで、この種のベース付きコイルが用いられている液晶テレビにおいては、その薄型化に伴って、使用される上記ベース付きコイルについても一層の薄型化が要請されている。このため、近年、極力コイルアッセンブリ１の高さ寸法を小さく（低背化）して、水平方向の寸法を大きくすることにより対応する方向にある。
【０００９】
ところが、上記従来のベース付きコイルにおいては、コイルアッセンブリ１の下面側に張出し部３を形成するとともに、ベースプレート５上に凸条部６や突起部７を形成しているために、逆に全体としての高さ寸法の増加を招き、このような薄型化の要請に応えることが難しいという問題点が生じていた。
【００１０】
本発明は、上記事情に鑑みてなされたものであり、ベースプレートに対するコイルアッセンブリの組み込み精度を向上させることができ、しかも低背化も実現することが可能なベース付きコイルを提供することを課題とするものである。
【課題を解決するための手段】
【００１１】
上記課題を解決するため、請求項１に記載の発明は、平板状のベースプレート上に、環状のコアの外周が絶縁層となるコアカバーによって覆われるとともに、上記コアカバーの外周に巻線が巻回されたコイルアッセンブリが載置されてなるベース付きコイルにおいて、上記コアカバーに、上記コアカバーの外周を周方向に複数の巻線区画に分割する２以上の第１の隔壁を形成し、上記ベースプレート上に、上記第１の隔壁の上記コイルアッセンブリにおける内周側端部間に介装される第２の隔壁を立設するとともに、上記第１の隔壁の上記内周側端部と上記第２の隔壁の対向端部との間に、互いに係合する係合部を形成し、かつ上記ベースプレートに、上記コイルアッセンブリの上記第１の隔壁が載置される部分および上記第２の隔壁が形成される中央部分を残して、上記コイルアッセンブリの上記巻線と対向する部分に開口部を形成し、当該開口部内に上記巻線を位置させたことを特徴とするものである。
【発明の効果】
【００１４】
請求項１に記載の発明によれば、ベースプレート上に第２の隔壁を立設し、当該第２の隔壁をコイルアッセンブリ内に挿入して、その両側端部をコイルアッセンブリに形成した第１の隔壁における内周側端部と係合させることにより、上記第１および第２の隔壁によって複数の巻線区画間を画成する隔壁を構成している。このため、容易かつ確実にベースプレート上にコイルアッセンブリを位置決めして固定することができる。
【００１５】
しかも、ベースプレート上に立設された第２の隔壁をコイルアッセンブリ内に挿入することによって、当該コイルアッセンブリの位置決めを行っているために、コイルアッセンブリの高さ寸法が増加することが無く、よって低背化も実現することができる。
【００１６】
さらに、ベースプレートにおけるコイルアッセンブリの巻線と対向する部分に開口部を形成し、当該開口部内に上記巻線を落とし込んでいるために、最大でベースプレートの板厚分だけ、一段と低背化を図ることが可能になる。
【図面の簡単な説明】
【００１８】
【図１】本発明の第１の実施形態を示す平面図である。
【図２】図１の側面図である。
【図３】図１のベースプレートを示す平面図である。
【図４】図３の側面図である。
【図５】図１のコイルアッセンブリを示す平面図である。
【図６】本発明の第２の実施形態を示す平面図である。
【図７】図６のベースプレートを示す平面図である。
【図８】図７の側面図である。
【図９】図７の底面図である。
【図１０】図７のＡ−Ａ線視断面図である。
【図１１】従来のベース付きコイルを示す分解斜視図である。
【発明を実施するための形態】
【００１９】
（第１の実施形態）
図１〜図５は、本発明に係るベース付きコイルを、コモンモードチョークコイルとして用いられるものに適用した第１の実施形態を示すもので、図中符号１０が全体として円筒状をなすコイルアッセンブリである。
このコイルアッセンブリ１０は、図５に示すように、フェライト等の磁性体からなる肉厚円筒状の芯材の外周が、絶縁層となる合成樹脂製のコアカバー１１によって覆われるとともに、このコアカバー１１の外周に、第１の巻線１２および第２の巻線１３が巻回されたものである。
【００２０】
ここで、コアカバー１１の外周には、直径方向に対向するようにして一対の第１の隔壁１４が一体に形成されており、これら第１の隔壁１４によって、第１の巻線１２および第２の巻線１３が円周方向に区画されている。なお、図中符号１２ａ、１３ａは、それぞれ第１の巻線１２および第２の巻線１３の巻始め端部および巻終わり端部である。そして、このコイルアッセンブリ１０の内部において対向する第１の隔壁１４の内周側端部には、それぞれ軸線方向両端面および対向面に開口する凹溝部１４ａが形成されている。
【００２１】
他方、このコイルアッセンブリ１０が位置決め・固定されるベースプレート１５は、図３および図４に示すように、絶縁性を有する合成樹脂からなる方形板状の部材で、コイルアッセンブリ１０が載置される上面の四隅には、端子台１６が一体に形成されている。そして、各端子台１６には、Ｌ字型端子１７が、その一辺１７ａを下面から突出させるとともに、他辺１７ｂを板面と平行に外方へ突出させるように固定されている。
【００２２】
さらに、このベースプレート１５の上面中央部には、平板状の第２の隔壁１８が一体に立設されている。この第２の隔壁１８は、水平方向（ベースプレートの板面に沿う方向）の両端部１８ａ間の長さ寸法が、コイルアッセンブリ１０内において対向する第１の隔壁１４の凹溝部１４ａにおける底面間の長さ寸法よりも僅かに小さく形成されており、かつ板厚は、凹溝部１４ａの幅寸法とほぼ等しくなるように設定されている。なお、図中符号１９は、第２の隔壁１８の両面中央部とベースプレート１５の上面との間に一体化されて第２の隔壁１８を補強するブラケットである。
【００２３】
そして、コイルアッセンブリ１０は、第１の隔壁１４の凹溝部１４ａに、ベースプレート１５の第２の隔壁１８の各端部１８ａが挿入されることにより、ベースプレート１５に上記水平方向に位置決めされている。ここで、第１の隔壁１４の凹溝部１４ａと、第２の隔壁１８の各端部１８ａとにより、係合部が構成されている。
【００２４】
さらに、コイルアッセンブリ１０から引き出されている第１および第２の巻線１２、１３の端部１２ａ、１３ａが、各々ベースプレート１５の端子台１６に固定されているＬ字型端子１７の辺１７ｂに絡げられている。これにより、コイルアッセンブリ１０は、上下方向への移動が阻止されてベースプレート１５に固定されている。他方、ベースプレート１５の下面から突出するＬ字型端子１７の辺１７ａが、実装端子とされている。
【００２５】
また、ベースプレート１５上には、第１の隔壁１４および第２の隔壁１８によって、コイルアッセンブリ１０の直径方向に連続する隔壁が形成されるとともに、当該隔壁によって第１の巻線１２と第２の巻線１３とが区画されている。なお、コアカバー１１に対する第１の巻線１２および第２の巻線１３の巻線方向は、それぞれ電流の流れ方向に対して同じ巻線方向（コモン巻き）になっており、これにより第１および第２の巻線１２、１３は、第１の隔壁１４および第２の隔壁１８を間に挟んで対称に巻回されている。
【００２６】
上記構成からなるベース付きコイルによれば、ベースプレート１５上に第２の隔壁１８を一体に立設し、この第２の隔壁１８をコイルアッセンブリ１０内に挿入して、その両側端部１８ａをコイルアッセンブリ１５の第１の隔壁１４における凹溝部１４ａと係合させることにより、第１および第２の隔壁１４、１８によって第１および第２の巻線１２、１３を画成する隔壁を構成しているために、容易かつ確実にベースプレート１５上にコイルアッセンブリ１０を位置決めして固定することができる。
【００２７】
しかも、ベースプレート１５上に立設された第２の隔壁１８を、コイルアッセンブリ１０内に挿入することによって、コイルアッセンブリ１０の位置決めを行っているために、コイルアッセンブリ１０の高さ寸法が増加することが無く、よって低背化も実現することができる。
【００２８】
また、ベースプレート１５上に端子台１６を一体形成し、この端子台１６にＬ字型端子１７を設けて、第１および第２の巻線１２、１３の端部１２ａ、１３ａを絡げているために、組み立てが容易になると共に、第１および第２の巻線１２、１３の線径が小さくなって、強度的に端部１２ａ、１３ａをそのまま実装端子として利用できない場合にも対応することが可能になる。
【００２９】
（第２の実施形態）
図６〜図１０は、本発明に係るベース付きコイルを、コモンモードチョークコイルとして用いられるものに適用した第２の実施形態を示すもので、図１〜図５に示したものと同一構成部分については、同一符号を付してその説明を簡略化する。
先ず、本実施形態のベース付きコイルにおいては、図９および図１０に示すように、ベースプレート２０に開口部２１が形成されている。
【００３０】
当該開口部２１は、コイルアッセンブリ１０の第１の隔壁１４が載置される部分２０ａおよび第２の隔壁１８が形成される中央部分を残して、コイルアッセンブリ１０の第１および第２の巻線１２、１３と対向する部分に形成されている。
【００３１】
他方、コイルアッセンブリ１０においては、第１の隔壁１４におけるベースプレート２０の載置部分２０ａとの当接面が、コアカバー１１と面一になるように形成されており、これにより第１および第２の巻線１２、１３が第１の隔壁１４の上記当接面よりも膨出するように巻回されている。そして、コイルアッセンブリ１０は、第１および第２の巻線１２、１３が開口部２１内に落とし込まれた状態で、ベースプレート２０に位置決め・固定されている。
【００３２】
さらに、このベース付きコイルにおいては、第２の隔壁１８の先端部に、円板状の平板部２２が、その板面を第２の隔壁１８と直交させて一体的に形成されている。ここで、平板部２２は、その直径がコイルアッセンブリ１０の中心部における内部空間の内径よりも僅かに小さくなるように形成されている。
【００３３】
また、ベースプレート２０の外周には、コイルアッセンブリ１０を四方から覆う側壁２３が一体に形成されることにより、開口部２１を形成することによって減少した全体の強度が補強されており、当該側壁２３の角隅部に形成された溝部２３ａ内に、上記Ｌ字型端子１７の辺１７ｂが挿入されている。
【００３４】
上記構成からなる第２の実施形態のベース付きコイルによっても、第１の実施形態に示したものと同様の作用効果を得ることができる。
加えて、このベース付きコイルにおいては、ベースプレート２０におけるコイルアッセンブリ１０の第１および第２の巻線１２、１３と対向する部分に開口部２１を形成し、各開口部２１内に第１および第２の巻線１２、１３を落とし込んでいるために、ベースプレート２０の板厚分だけ、一段と低背化を図ることが可能になる。
【００３５】
さらに、ベースプレート２０に一体に立設した第２の隔壁１８の先端部に、板面が第２の隔壁１８と直交する円板状の平板部２２を一体に形成しているために、この平板部２２の板面を、部品吸着面として利用することができ、よって自動実装時にも対応することができるという効果も得られる。
【産業上の利用可能性】
【００３６】
ベースプレート上にコイルアッセンブリが取り付けられてコモンモードチョークコイル等として用いられるベース付きコイルとして利用可能である。
【符号の説明】
【００３７】
１０  コイルアッセンブリ
１１  コアカバー
１２  第１の巻線
１３  第２の巻線
１４  第１の隔壁
１４ａ  凹溝部（係合部）
１５、２０  ベースプレート
１８  第２の隔壁
１８ａ  端部（係合部）
２１  開口部
２２  平板部
【図１】
0005533214.tif 000002
【図２】
0005533214.tif 000003
【図３】
0005533214.tif 000004
【図４】
0005533214.tif 000005
【図５】
0005533214.tif 000006
【図６】
0005533214.tif 000007
【図７】
0005533214.tif 000008
【図８】
0005533214.tif 000009
【図９】
0005533214.tif 000010
【図１０】
0005533214.tif 000011
【図１１】
0005533214.tif 000012